(57)【要約】【課題】  共振型電源装置の動作状態を駆動状態から停止状態へ切り替えたときに、共振回路での共振振動を直ちに停止させること。【解決手段】  トランス（Ｔ）の一次側に共振回路（Ｃｒ，Ｌｒ，Ｎ１）を備え、この共振回路を流れる共振電流をスイッチング手段（Ｑ１，Ｑ２）を駆動することにより制御し、トランス（Ｔ）の二次側に接続された出力回路（Ｄ３，Ｄ４，Ｃｏ）を備えた共振型電源装置の制御方法であって、共振型電源装置の駆動状態では、出力回路から出力される出力電圧が一定となるように、共振電流が所定の振幅を保つようにスイッチング手段を駆動する。共振型電源装置の駆動を停止させる場合には、共振電流の振幅がゼロとなるように、駆動状態の場合とは逆位相でスイッチング手段を駆動する。【選択図】      図５
2005143255.tif 000002
【特許請求の範囲】
【請求項１】
トランスの一次側に共振回路を備え、該共振回路を流れる共振電流をスイッチング手段を駆動することにより制御し、前記トランスの二次側に接続された出力回路を備えた共振型電源装置の制御方法であって、
前記共振型電源装置の駆動状態では、前記出力回路から出力される出力電圧が一定となるように、前記共振電流が所定の振幅を保つように前記スイッチング手段を駆動し、
前記共振型電源装置の駆動を停止させる場合には、前記共振電流の振幅がゼロとなるように、前記駆動状態の場合とは逆位相で前記スイッチング手段を駆動する
ことを特徴とする共振型電源装置の制御方法。
【請求項２】
前記スイッチング手段は駆動パルスで駆動され、
前記駆動状態では、前記出力電圧が一定となるように、前記駆動パルスのパルス幅を調整し、
前記共振型電源装置の駆動を停止する場合には、前記共振電流の振幅がゼロとなるように、前記駆動パルスのパルス幅を調整する、請求項１に記載の共振型電源装置の制御方法。
【請求項３】
トランスの一次側に共振回路を備え、該共振回路を流れる共振電流をスイッチング手段を駆動することにより制御し、前記トランスの二次側に接続された出力回路を備えた共振型電源装置の制御方法であって、
前記共振型電源装置の駆動状態では、前記出力回路から出力される出力電圧が一定となるように、前記共振電流が所定の振幅を保つように前記スイッチング手段を駆動し、
前記出力電圧を所定の電圧まで低下させる場合には、前記出力電圧が前記所定の電圧になるまで、前記共振電流の振幅が小さくなるように、前記駆動状態の場合とは逆位相で前記スイッチング手段を駆動する
ことを特徴とする共振型電源装置の制御方法。
【請求項４】
前記スイッチング手段は駆動パルスで駆動され、
前記駆動状態では、前記出力電圧が一定となるように、前記駆動パルスのパルス幅を調整し、
前記出力電圧を前記所定の電圧まで低下させる場合には、前記共振電流の振幅が小さくなるように、前記駆動パルスのパルス幅を調整する、請求項３に記載の共振型電源装置の制御方法。
【請求項５】
トランスと、
該トランスの一次側に設けられた共振回路と、
該共振回路を流れる共振電流を制御するスイッチング手段と、
前記トランスの二次側に接続された出力回路と、
該出力回路の出力電圧に基づいて定電圧帰還信号を出力する定電圧帰還回路と、
前記共振回路における共振電流を検出して共振電流検出信号を出力する電流検出器と、
前記出力回路に接続されて、無負荷であるか否かを判定して無負荷判定信号する無負荷判定回路と、
前記定電圧帰還信号と前記共振電流検出信号と前記無負荷判定信号とに基づいて前記スイッチング手段を駆動するコントローラとを備え、
前記コントローラは、前記無負荷判定信号が“有負荷”の判定結果を示している場合には、前記共振電流検出信号に基づいて前記定電圧帰還信号が常に一定となるように、前記スイッチング手段を駆動し、前記無負荷判定信号が“無負荷”の判定結果を示している場合には、前記共振電流検出信号を反転した信号に基づいて前記共振電流検出信号の振幅がゼロとなるように、前記スイッチング手段を駆動することを特徴とする共振型電源装置。
【請求項６】
前記コントローラは、駆動パルスを前記スイッチング手段へ供給することにより、前記スイッチング手段を駆動するものであり、
前記無負荷判定信号が“有負荷”の判定結果を示している場合には、前記コントローラは、前記定電圧帰還信号が一定となるように、前記駆動パルスのパルス幅を調整し、
前記無負荷判定信号が“無負荷”の判定結果を示している場合には、前記コントローラは、前記共振電流検出信号の振幅がゼロとなるように、前記無負荷判定信号が“有負荷”の判定結果を示している場合とは前記駆動パルスの位相を逆にし且つ前記パルス幅を調整することを特徴とする請求項５に記載の共振型電源装置。
【発明の詳細な説明】
【技術分野】
【０００１】
本発明は、共振型電源装置に関し、特に、共振型電源装置の制御方法に関する。
【背景技術】
【０００２】
この種の共振型電源装置は、トランスの一次側に、第１及び第２のスイッチの直列回路と、第２のスイッチに並列に接続された共振回路とを備え、トランスの二次側に、出力回路が接続されている。共振型電源装置は、出力回路の出力電圧に基づいて定電圧帰還信号を出力する定電圧帰還回路と、共振回路における共振電流を検出して共振電流検出信号を出力する電流検出器と、定電圧帰還信号と共振電流検出信号とに基づいて上記第１及び第２のスイッチのオン／オフを制御するコントローラと更に備えている（例えば、特許文献１参照）。
【０００３】
定電圧帰還回路としてフォトカプラを用いたものも知られている（例えば、特許文献２参照）。
【０００４】
又、出力回路に接続されて、無負荷であるか否かを判定して無負荷判定信号する無負荷判定回路を備えているものもある。この場合、コントローラは、定電圧帰還信号および共振電流検出信号ばかりでなく無負荷判定信号にも基づいて上記第１及び第２のスイッチのオン／オフを制御する。
【０００５】
このような構成の共振型電源装置では、待機電力モードに対応するために、間欠発振モードが使われている。間欠発振モードにおいては、無負荷判定信号が“有負荷”の判定結果を示している場合には、コントローラは共振型電源装置の動作状態を駆動状態にし、無負荷判定信号が“無負荷”の判定結果を示している場合には、コントローラは共振型電源装置の動作状態を停止状態にする。このような共振型電源装置では、動作状態を駆動状態から停止状態へ切り替えたあと共振回路での共振振動がしばらくの間残ることになる。その結果、トランスの２次側にこの共振振動が伝わり、出力電圧などに悪影響を与える場合がある。
【０００６】
図１を参照して、従来の共振型電源装置について説明する。交流電源（図示せず）からの交流電圧を全波整流器（図示せず）で全波整流し、それを平滑コンデンサＣｉで平滑して、入力直流電圧が得られる。すなわち、全波整流器と平滑コンデンサＣｉとによって直流電源が構成される。
【０００７】
平滑コンデンサＣｉの一端と他端との間に、第１及び第２のスイッチＱ１、Ｑ２の直列回路が接続されている。第１及び第２のスイッチＱ１、Ｑ２の各々は、絶縁ゲート型電界効果トランジスタ（ＦＥＴ）からなる。第１のスイッチＱ１は上トランジスタとも呼ばれ、第２のスイッチＱ２は下トランジスタとも呼ばれる。第１及び第２のスイッチＱ１、Ｑ２には、逆方向並列に第１及び第２のクランプ用ダイオードＤ１、Ｄ２が接続されている。尚、第１のスイッチＱ１と第２のスイッチＱ２は、纏めてスイッチング手段と呼ばれる。
【０００８】
第２のスイッチＱ２に並列に、トランスＴの１次巻線Ｎ１とコイルから成る共振用インダクタンス素子Ｌｒと共振用コンデンサＣｒとのＬＣ直列共振回路が接続されている。このＬＣ直列共振回路には直列にその共振電流を検出するための電流検出用抵抗器Ｒ１が接続されている。すなわち、電流検出用抵抗器Ｒ１は、共振回路における共振電流を検出して共振電流検出信号を出力する電流検出器として働く。
【０００９】
第１及び第２のスイッチＱ１、Ｑ２のゲートにはコントローラ２が接続されている。トランスＴは２次巻線Ｎ２ａ、Ｎ２ｂを持ち、これらの一端は第１及び第２の出力整流ダイオードＤ３、Ｄ４を介して出力平滑用コンデンサＣｏに接続されている。すなわち、第１及び第２の出力整流ダイオードＤ３、Ｄ４と出力平滑用コンデンサＣｏとによって出力整流平滑回路が構成される。尚、出力整流平滑回路は単に出力回路とも呼ばれる。
【００１０】
出力平滑用コンデンサＣｏには出力端子３、４が接続される。これら出力端子３、４間には負荷（図示せず）が接続される。出力端子３、４には、定電圧帰還回路５が接続されている。定電圧帰還回路５は、出力回路の出力電圧に基づいて定電圧帰還信号を出力する。この定電圧帰還信号はコントローラ２に供給される。
【００１１】
また、出力回路には無負荷判定回路６が接続されている。無負荷判定回路６は、無負荷であるか否かを判定して無負荷判定信号を出力する。この無負荷判定信号はコントローラ２へ供給される。
【００１２】
したがって、コントローラ２は、定電圧帰還信号、共振電流検出信号、および無負荷判定信号に基づいて第１及び第２のスイッチＱ１、Ｑ２のオン／オフを制御する。
【００１３】
図２を参照して、定電圧帰還回路５について説明する。定電圧帰還回路５は、出力端子３、４間に接続された電圧検出用分圧抵抗器Ｒ２、Ｒ３と、基準電圧を発生するのツェナダイオードＺＤと、誤差増幅器Ａｍｐと、フォトカプラＰＣと、電流制限抵抗器Ｒ４とから成る。フォトカプラＰＣは発光ダイオードＤ５とフォトトランジスタＴｒとから構成される。誤差増幅器Ａｍｐの一方の入力端子は分圧抵抗器Ｒ２、Ｒ３の分圧点に接続され、他方の入力端子はツェナダイオードＺＤのカソードに接続されている。したがって、誤差増幅器Ａｍｐは検出電圧と基準電圧との差に対応する誤差出力電圧を出力する。フォトカプラＰＣの発光ダイオードＤ５は誤差増幅器Ａｍｐの出力端子と出力回路の出力端子３との間に抵抗器Ｒ４を介して接続されているので、誤差出力電圧に対応する発光量で発光する。
【００１４】
この発光ダイオードＤ５で発光された光をフォトカプラＰＣのフォトトランジスタＴｒは受光して、定電圧帰還信号をコントローラ２へ供給する。
【００１５】
図３を参照して、従来のコントローラ２について説明する。コントローラ２は、電流検出用抵抗器Ｒ１に接続された波形成形信号増幅及びノイズ除去回路１１と、この波形成形信号増幅及びノイズ除去回路１１と定電圧帰還回路５とに接続された、上トランジスタオン回路１２、上トランジスタオフ回路１３、下トランジスタオン回路１４、および下トランジスタオフ回路１５と、上トランジスタオン回路１２と上トランジスタオフ回路１３とに接続された上トランジスタ制御パルス生成回路１６と、下トランジスタオン回路１４と下トランジスタオフ回路１５とに接続された下トランジスタ制御パルス生成回路１７と、上トランジスタ制御パルス生成回路１６と上トランジスタＱ１のゲートとの間に挿入された第１の制御パルス通過スイッチ１８と、下トランジスタ制御パルス生成回路１７と下トランジスタＱ２のゲートとの間に挿入された第２の制御パルス通過スイッチ１９とを有する。
【００１６】
波形成形信号増幅及びノイズ除去回路１１は、電流検出用抵抗器Ｒ１で検出された共振電流検出信号に対して、波形生成、信号増幅およびノイズ除去を行って、波形成形した共振電流検出信号を出力する。上トランジスタオン回路１２は、波形成形した共振電流検出信号と定電圧帰還信号とに基づいて、上トランジスタオン信号を出力する。上トランジスタオフ回路１３は、波形成形した共振電流検出信号と定電圧帰還信号とに基づいて、上トランジスタオフ信号を出力する。下トランジスタオン回路１４は、波形成形した共振電流検出信号と定電圧帰還信号とに基づいて、下ランジスタオン信号を出力する。下トランジスタオフ回路１５は、波形成形した共振電流検出信号と定電圧帰還信号とに基づいて、下トランジスタオフ信号を出力する。
【００１７】
上トランジスタ制御パルス生成回路１６は、上トランジスタオン信号と上トランジスタオフ信号とに基づいて、上トランジスタ制御パルスを出力する。下トランジスタ制御パルス生成回路１７は、下トランジスタオン信号と下トランジスタオフ信号とに基づいて、下トランジスタ制御パルスを出力する。上トランジスタ制御パルスおよび下トランジスタ制御パルスは纏めて駆動パルスと呼ばれる。
【００１８】
第１の制御パルス通過スイッチ１８は、無負荷判定回路６から供給される無負荷判定信号が“有負荷”の判定結果を示している場合には、オンして上トランジスタ制御パルスを通過するが、無負荷判定信号が“無負荷”の判定結果を示している場合には、オフして上トランジスタ制御パルスの通過を遮断する。第２の制御パルス通過スイッチ１９は、無負荷判定回路６から供給される無負荷判定信号が“有負荷”の判定結果を示している場合には、オンして下トランジスタ制御パルスを通過するが、無負荷判定信号が“無負荷”の判定結果を示している場合には、オフして下トランジスタ制御パルスの通過を遮断する。
【００１９】
図４を参照して、図３に示した従来のコントローラ２の動作について説明する。無負荷判定信号が“有負荷”の判定結果を示しているとする。この場合、第１および第２の制御パルス通過スイッチ１８、１９はオンしている。この場合、出力回路から出力される出力電圧（定電圧帰還信号）が常に一定になるように、コントローラ２は共振回路を流れる共振電流（共振電流検出信号）を監視しながら、上トランジスタ制御パルスおよび下トランジスタ制御パルスを生成する。この場合、図４に示されるように、上トランジスタ制御パルスおよび下トランジスタ制御パルスのパルス幅は常に一定となり、共振電流も所定の振幅および周期を持つ波形となることが分かる。
【００２０】
すなわち、通常の動作状態では、出力回路における出力電圧の高低に伴い、上トランジスタ制御パルスおよび下トランジスタ制御パルスのパルス幅Ｗを調整することによって、出力電圧を常に一定に保っている。具体的には、出力電圧が所望の電圧より低くなった場合には、コントローラ２は、上トランジスタ制御パルスおよび下トランジスタ制御パルスのパルス幅Ｗを広げる制御を行う。一方、出力電圧が所望の電圧より高くなった場合には、コントローラ２は、上トランジスタ制御パルスおよび下トランジスタ制御パルスのパルス幅Ｗを狭くする制御を行う。
【００２１】
次に、無負荷判定信号が“無負荷”の判定結果を示しているとする。この場合、第１および第２の制御パルス通過スイッチ１８、１９はオフする。したがって、上トランジスタ制御パルスおよび下トランジスタ制御パルスは、上トランジスタＱ１のゲートおよび下トランジスタＱ２のゲートへは供給されなくなる。その結果、共振回路における共振電流は、徐々に減衰する。
【００２２】
すなわち、従来の共振型電源装置では、動作状態を駆動状態から停止状態へ切り替えた後でも、共振回路での共振振動がしばらくの間残ることになる。その結果、トランスＴの２次側にこの共振振動が伝わり、出力電圧などに悪影響を与える場合がある。
【特許文献１】特開平８−６６０２５号公報
【特許文献２】特開平１１−１６４５５４号公報
【発明の開示】
【発明が解決しようとする課題】
【００２３】
上述したように、従来の共振型電源装置では、動作状態を駆動状態から停止状態へ切り替えも、共振回路での共振振動は直ちには停止せず、その後でも、共振回路での共振振動がしばらくの間残ることになる。その結果、トランスの２次側にこの共振振動が伝わり、出力電圧などに悪影響を与える虞があるという問題がある。
【００２４】
したがって、本発明の課題は、共振型電源装置の動作状態を駆動状態から停止状態へ切り替えたときに、直ちに共振回路での共振振動を直ちに停止させることが可能な、共振型電源装置およびその制御方法を提供することにある。
【課題を解決するための手段】
【００２５】
本発明の第１の態様によれば、トランス（Ｔ）の一次側に共振回路（Ｃｒ，Ｌｒ，Ｎ１）を備え、この共振回路を流れる共振電流をスイッチング手段（Ｑ１，Ｑ２）を駆動することにより制御し、トランス（Ｔ）の二次側に接続された出力回路（Ｄ３，Ｄ４，Ｃｏ）を備えた共振型電源装置の制御方法であって、共振型電源装置の駆動状態では、出力回路から出力される出力電圧が一定となるように、共振電流が所定の振幅を保つようにスイッチング手段を駆動し、共振型電源装置の駆動を停止させる場合には、共振電流の振幅がゼロとなるように、駆動状態の場合とは逆位相でスイッチング手段を駆動することを特徴とする共振型電源装置の制御方法が得られる。
【００２６】
上記本発明の第１の態様による共振型電源装置の制御方法において、スイッチング手段は駆動パルスで駆動され、駆動状態では、出力電圧が一定となるように、駆動パルスのパルス幅を調整し、共振型電源装置の駆動を停止する場合には、共振電流の振幅がゼロとなるように、駆動パルスのパルス幅を調整することが好ましい。
【００２７】
本発明の第２の態様によれば、トランス（Ｔ）の一次側に共振回路（Ｃｒ，Ｌｒ，Ｎ１）を備え、この共振回路を流れる共振電流をスイッチング手段（Ｑ１，Ｑ２）を駆動することにより制御し、トランスの二次側に接続された出力回路（Ｄ３，Ｄ４，Ｃｏ）を備えた共振型電源装置の制御方法であって、共振型電源装置の駆動状態では、出力回路から出力される出力電圧が一定となるように、共振電流が所定の振幅を保つようにスイッチング手段を駆動し、出力電圧を所定の電圧まで低下させる場合には、出力電圧が所定の電圧になるまで、共振電流の振幅が小さくなるように、駆動状態の場合とは逆位相でスイッチング手段を駆動することを特徴とする共振型電源装置の制御方法が得られる。
【００２８】
上記本発明の第２の態様による共振型電源装置の制御方法において、スイッチング手段は駆動パルスで駆動され、駆動状態では、出力電圧が一定となるように、駆動パルスのパルス幅を調整し、出力電圧を所定の電圧まで低下させる場合には、共振電流の振幅が小さくなるように、駆動パルスのパルス幅を調整することが好ましい。
【００２９】
本発明の第３の態様によれば、トランス（Ｔ）と、このトランスの一次側に設けられた共振回路（Ｃｒ，Ｌｒ，Ｎ１）と、この共振回路を流れる共振電流を制御するスイッチング手段（Ｑ１，Ｑ２）と、トランスの二次側に接続された出力回路（Ｄ３，Ｄ４，Ｃｏ）と、この出力回路の出力電圧に基づいて定電圧帰還信号を出力する定電圧帰還回路（５）と、共振回路における共振電流を検出して共振電流検出信号を出力する電流検出器（Ｒ１）と、出力回路に接続されて、無負荷であるか否かを判定して無負荷判定信号する無負荷判定回路（６）と、定電圧帰還信号と共振電流検出信号と無負荷判定信号とに基づいてスイッチング手段を駆動するコントローラ（３Ａ）とを備え、コントローラは、無負荷判定信号が“有負荷”の判定結果を示している場合には、共振電流検出信号に基づいて定電圧帰還信号が常に一定となるように、スイッチング手段を駆動し、無負荷判定信号が“無負荷”の判定結果を示している場合には、共振電流検出信号を反転した信号（２０）に基づいて共振電流検出信号の振幅がゼロとなるように、スイッチング手段を駆動することを特徴とする共振型電源装置が得られる。
【００３０】
上記本発明の第３の態様による共振型電源装置において、コントローラ（２Ａ）は、駆動パルスをスイッチング手段（Ｑ１，Ｑ２）へ供給することにより、スイッチング手段を駆動するものであり、無負荷判定信号が“有負荷”の判定結果を示している場合には、コントローラは、定電圧帰還信号が一定となるように、駆動パルスのパルス幅を調整し、無負荷判定信号が“無負荷”の判定結果を示している場合には、コントローラは、共振電流検出信号の振幅がゼロとなるように、無負荷判定信号が“有負荷”の判定結果を示している場合とは駆動パルスの位相を逆にし且つパルス幅を調整することが望ましい。尚、上記共振型電源装置は、スイッチング手段が２つのスイッチ（Ｑ１，Ｑ２）から成るハーフブリッジ共振型電源装置であっても良いし、スイッチング手段が４つのスイッチ（Ｑ１〜Ｑ４）から成るフルブリッジ共振型電源装置であっても良い。
【００３１】
尚、上記括弧内の符号は、本発明の理解を容易にするために付したものであり、一例にすぎず、これらに限定されないのは勿論である。
【発明の効果】
【００３２】
本発明では、共振型電源装置の動作状態を駆動状態から停止状態へ切り替える際、共振回路を流れる共振電流の振幅がゼロとなるように、駆動状態の場合とは逆位相でスイッチング手段を駆動する。これにより、直ちに共振回路での共振振動を直ちに停止させることができるという効果を奏する。
【発明を実施するための最良の形態】
【００３３】
以下、図面を参照して、本発明の実施の形態について詳細に説明する。
【００３４】
図５を参照して、本発明の一実施の形態に係る共振型電源装置について説明する。図示の共振型電源装置は、コントローラの構成が変更された点を除いて、図１に図示した従来の共振型電源装置と同様の構成を有し、同様の動作をする。したがって、コントローラに２Ａの参照符号を付してある。また、図１に示したものと同様の機能を有するものには同一の参照符号を付して、説明の簡略化のためにそれらの説明は省略する。
【００３５】
図６を参照して、コントローラ２Ａについて説明する。コントローラ２Ａは、第１の制御パルス通過スイッチ１８および第２の制御パルス通過スイッチ１９の代わりに反転回路２０を用いると共に、上トランジスタオン回路、上トランジスタオフ回路、下トランジスタオン回路、および下トランジスタオフ回路が図３に示したものから後述するように変更されている点を除いて、図３に図示された従来のコントローラ２と同様の構成を有し、同様の動作をする。したがって、上トランジスタオン回路、上トランジスタオフ回路、下トランジスタオン回路、および下トランジスタオフ回路に、それぞれ、１２Ａ、１３Ａ、１４Ａ、および１５Ａの参照符号を付してある。
【００３６】
反転回路２０は、波形成形信号増幅及びノイズ除去回路１１の出力端子に接続されており、無負荷判定回路６から無負荷判定信号が供給される。無負荷判定信号が“有負荷”の判定結果を示している場合には、反転回路２０は、波形成形信号増幅及びノイズ除去回路１１から供給される波形成形した共振電流検出信号をそのまま（すなわち、反転せずに）出力する。一方、無負荷判定信号が“無負荷”の判定結果を示している場合には、反転回路２０は、波形成形信号増幅及びノイズ除去回路１１から供給される波形成形した共振電流検出信号を反転して、反転した共振電流検出信号を出力する。
【００３７】
反転回路２０から出力される信号（すなわち、波形成形した共振電流検出信号又は反転した共振電流検出信号）は、上トランジスタオン回路１２Ａ、上トランジスタオフ回路１３Ａ、下トランジスタオン回路１４Ａ、および下トランジスタオフ回路１５Ａへ供給される。また、上トランジスタオン回路１２Ａ、上トランジスタオフ回路１３Ａ、下トランジスタオン回路１４Ａ、および下トランジスタオフ回路１５Ａには、無負荷判定回路６から無負荷判定信号が供給されている。
【００３８】
無負荷判定信号が“有負荷”の判定結果を示している場合には、上トランジスタオン回路１２Ａ、上トランジスタオフ回路１３Ａ、下トランジスタオン回路１４Ａ、および下トランジスタオフ回路１５Ａは、上述した上トランジスタオン回路１２、上トランジスタオフ回路１３、下トランジスタオン回路１４、および下トランジスタオフ回路１５と同様の動作をする。すなわち、上トランジスタオン回路１２Ａは、波形成形した共振電流検出信号と定電圧帰還信号とに基づいて、上トランジスタオン信号を出力する。上トランジスタオフ回路１３Ａは、波形成形した共振電流検出信号と定電圧帰還信号とに基づいて、上トランジスタオフ信号を出力する。下トランジスタオン回路１４Ａは、波形成形した共振電流検出信号と定電圧帰還信号とに基づいて、下ランジスタオン信号を出力する。下トランジスタオフ回路１５Ａは、波形成形した共振電流検出信号と定電圧帰還信号とに基づいて、下トランジスタオフ信号を出力する。
【００３９】
一方、無負荷判定信号が“無負荷”の判定結果を示している場合には、上トランジスタオン回路１２Ａ、上トランジスタオフ回路１３Ａ、下トランジスタオン回路１４Ａ、および下トランジスタオフ回路１５Ａは、定電圧帰還信号を無視して、反転した共振電流検出信号の振幅を小さくするように、上トランジスタオン信号、上トランジスタオフ信号、下トランジスタオン信号、および下トランジスタオフ信号を出力する。
【００４０】
次に、図７を参照して、図６に示したコントローラ２Ａの動作について説明する。無負荷判定信号が“有負荷”の判定結果を示しているとする。この場合の動作は、前述した従来のコントローラ２と同様の動作であるので、その説明は省略する。
【００４１】
次に、無負荷判定信号が“無負荷”の判定結果を示しているとする。この場合、反転回路２０は、波形成形信号増幅及びノイズ除去回路１１から供給される波形成形した共振電流検出信号を反転して、反転した共振電流検出信号を出力する。これにより、コントローラ２Ａは、共振回路における共振振動を抑える方向に、上トランジスタＱ１および下トランジスタＱ２を駆動する。すなわち、“有負荷”の場合とは逆位相の上トランジスタ制御パルスおよび下トランジスタ制御パルスで、上トランジスタＱ１および下トランジスタＱ２を駆動する。さらに、コントローラ２Ａは、共振回路における共振電流がゼロになるように、上トランジスタ制御パルスおよび下トランジスタ制御パルスのパルス幅を調整する。その結果、共振回路における共振電流は、直ちに減衰する。
【００４２】
このように、本実施の形態による共振型電源装置では、動作状態を駆動状態から停止状態へ切り替えたときに、直ちに共振回路での共振振動（共振電流）を直ちに停止させることができる。
【００４３】
以上、本発明について好ましい実施の形態によって説明してきたが、本発明は上述した実施の形態に限定しないのは勿論である。例えば、上述した実施の形態では、動作状態を駆動状態から停止状態へ切り替える場合の例についてのみ説明したが、出力回路から出力される出力電圧を所定の電圧まで直ちに低下させたい場合にも適用できる。この場合、図５における無負荷判定回路６の代わりに振幅低下判定回路を設け、“無負荷判定信号”の代わりに“振幅低下判定信号”を使用して、反転回路２０は“振幅低下判定信号”が「振幅低下」の判定結果を示している間だけ、波形生成信号増幅及びノイズ除去回路１１から供給される波形成形した共振電流検出信号を反転して、反転した共振電流検出信号を出力するようにすれば良い。
【００４４】
更に、上述した実施の形態では、本発明を図８に示すようなハーフブリッジ共振型電源装置に適用した場合について説明したが、図９に示されるような、フルブリッジ共振型電源装置にも本発明は適用できる。ハーフブリッジ共振型電源装置では、スイッチング手段として第１および第２のスイッチＱ１、Ｑ２から成る２つのスイッチのみ使用しているが、フルブリッジ型電源装置では、スイッチング手段として第１乃至第４のスイッチＱ１、Ｑ２、Ｑ３、Ｑ４から成る４つのスイッチを使用する。
【図面の簡単な説明】
【００４５】
【図１】従来の共振型電源装置の構成を示すブロック図である。
【図２】図１に示した共振型電源装置に用いられる定電圧帰還回路の構成を示すブロック図である。
【図３】図１に示した共振型電源装置に用いられる従来のコントローラの構成を示すブロック図である。
【図４】図３に示した従来のコントローラの動作を説明するための波形図である。
【図５】本発明の一実施の形態に係る共振型電源装置の構成を示すブロック図である。
【図６】図５に示した共振型電源装置に用いられるコントローラの構成を示すブロック図である。
【図７】図６に示したコントローラの動作を説明するための波形図である。
【図８】本発明が適用されるハーフブリッジ共振型電源装置の構成を示すブロック図である。
【図９】本発明が適用されるフルブリッジ共振型電源装置の構成を示すブロック図である。
【符号の説明】
【００４６】
Ｃｉ    平滑コンデンサ
Ｑ１〜Ｑ４    スイッチ
Ｔ    トランス
Ｎ１    １次巻線
Ｌｒ    共振用インダクタンス素子
Ｃｒ    共振用コンデンサ
Ｒ１    電流検出用抵抗器
２Ａ    コントローラ
Ｎ２ａ、Ｎ２ｂ    ２次巻線
Ｄ３，Ｄ４    出力整流ダイオード
Ｃｏ    出力平滑用コンデンサ
３，４    出力端子
５    定電圧帰還回路
６    無負荷判定回路
１１    波形成形信号増幅及びノイズ除去回路
１２Ａ    上トランジスタオン回路
１３Ａ    上トランジスタオフ回路
１４Ａ    下トランジスタオン回路
１５Ａ    下トランジスタオフ回路
１６    上トランジスタ制御パルス生成回路
１７    下トランジスタ制御パルス生成回路
２０    反転回路
【図１】
2005143255.tif 000003
【図２】
2005143255.tif 000004
【図３】
2005143255.tif 000005
【図４】
2005143255.tif 000006
【図５】
2005143255.tif 000007
【図６】
2005143255.tif 000008
【図７】
2005143255.tif 000009
【図８】
2005143255.tif 000010
【図９】
2005143255.tif 000011